(57)【要約】      （修正有）【課題】ジェットエンジンにおいて、第２のバイパス流路を設けることなく、また多数の駆動機構を必要とすることなく、インテークスピレージ抵抗を減少させて燃費の改善を図る。【解決手段】複数段の動翼を有するファン３と、該ファンから送り込まれる空気を圧縮する圧縮機４、５と、該圧縮機で生成された圧縮空気を用いて燃焼ガスを生成する燃焼器６と、燃焼ガスから回転動力を生成するタービン７、８と、燃焼ガスを噴射するノズル１１ａとを備えるジェットエンジン１であって、ファンにおける２段目以降の動翼の上流に配置されると共に動翼への空気流の流入角を調整する可変ガイドベーンと、ノズルにおける流体抵抗を調整する流体抵抗調整手段１１ｂと、巡航時において、加速時に対して流入角が小さくなるよう可変ガイドベーンを制御し、かつ、流入角の減少に伴う流量増加による流体抵抗増加を抑制するよう流体抵抗調整手段を制御する制御手段とを備える。【選択図】図１
2015200191.tif 000002
【特許請求の範囲】
【請求項１】
複数段の動翼を有するファンと、該ファンから送り込まれる空気を圧縮する圧縮機と、該圧縮機で生成された圧縮空気を用いて燃焼ガスを生成する燃焼器と、前記燃焼ガスから回転動力を生成するタービンと、前記燃焼ガスを噴射するノズルとを備えるジェットエンジンであって、
前記ファンにおける２段目以降の動翼の上流に配置されると共に前記動翼への空気流の流入角を調整する可変ガイドベーンと、
前記ノズルにおける流体抵抗を調整する流体抵抗調整手段と、
巡航時において、加速時に対して前記流入角が小さくなるよう前記可変ガイドベーンを制御し、かつ、前記流入角の減少に伴う前記ファンの出口の体積流量増加による流体抵抗増加を抑制するよう前記流体抵抗調整手段を制御する制御手段と
を備えることを特徴とするジェットエンジン。
【請求項２】
前記流体抵抗調整手段は、前記ノズルの開口面積を調節する開口面積可変機構であることを特徴とする請求項１記載のジェットエンジン。
【請求項３】
前記可変ガイドベーンの上流に配置された動翼よりも、当該可変ガイドベーン以降の前記動翼が、当該動翼の回転中心寄りに配置されていることを特徴とする請求項１または２記載のジェットエンジン。
【請求項４】
前記制御手段は、巡航時において、前記ファンの回転数を最大とすることを特徴とする請求項１〜３いずれか一項に記載のジェットエンジン。
【発明の詳細な説明】
【技術分野】
【０００１】
本発明は、ジェットエンジンに関するものである。
【背景技術】
【０００２】
例えば、特許文献１に示すように、航空機には推力発生装置としてジェットエンジンが搭載されている。このようなジェットエンジンは、最大出力時に必要な空気が取り込めるようにインテークの径やファンが設計されており、出力増加時にはファンの回転数を上げてインテークから大量の空気を取り込み圧縮してノズルから高速で排気することで必要な推力を発生させている。
【先行技術文献】
【特許文献】
【０００３】
【特許文献１】特開２０１２−６２８０１号公報
【発明の概要】
【発明が解決しようとする課題】
【０００４】
ところで、航空機の巡航時には、加速時と比較してジェットエンジンの推力は抑えられるため、エンジンが吸い込む空気量が減少する。このため、従来のジェットエンジンでは、加速時と比較して巡航時においてはファンの回転数を低下させている。ところが、上述のようにインテークが加速時に必要な空気量を取り込むための径とされていることから、ファンの回転数を落とした場合であっても、大量の空気がインテークから流入する。この結果、取り込まれた空気がインテークから溢れだし、いわゆるインテークスピレージ抵抗が発生する。
【０００５】
航空機を巡航速度に維持するためには、このようなインテークスピレージ抵抗による速度の低下を打ち消すようにジェットエンジンの推力を発生させる必要がある。このため、インテークスピレージ抵抗は、ジェットエンジンの燃費を悪化させる。
【０００６】
このようなインテークスピレージ抵抗による燃費の悪化を抑制するため、例えば、通常のコア流路とバイパス流路の外側にさらに第２のバイパス流路を設け、この第２のバイパス流路に流す流量を加速時と巡航時とで変化させることで、巡航時においてもジェットエンジンに取り込まれる全体としての空気の流量を変化させることなく、推力のみを変更する改良エンジンが提案されている。
【０００７】
しかしながら、提案されている改良エンジンは、第２のバイパス流路への流入量を調整するために、コア流路の入口、低圧圧縮機、高圧圧縮機、高圧タービン及び低圧タービンに対して可変静翼を設置したり、空気が流れる流路を切り替えるための切替板を設置したり、第２のバイパス流路の流量調整弁を設置したりする必要がある。このため、これらを駆動するための駆動機構を多数必要とする。このような、改良エンジンは、第２のバイパス流路を設けることによる重量増加、及び、多数の駆動機構を設けることによる重量増加及び信頼性低下を招くことになる。また、このように改良エンジンでは、重量の増加が大きくなり、結果として十分な燃費の改善が図れないおそれがある。
【０００８】
本発明は、上述する問題点に鑑みてなされたもので、ジェットエンジンにおいて、第２のバイパス流路を設けることなく、また多数の駆動機構を必要とすることなく、インテークスピレージ抵抗を減少させて燃費の改善を図ることを目的とする。
【課題を解決するための手段】
【０００９】
本発明は、上記課題を解決するための手段として、以下の構成を採用する。
【００１０】
第１の発明は、複数段の動翼を有するファンと、該ファンから送り込まれる空気を圧縮する圧縮機と、該圧縮機で生成された圧縮空気を用いて燃焼ガスを生成する燃焼器と、上記燃焼ガスから回転動力を生成するタービンと、上記燃焼ガスを噴射するノズルとを備えるジェットエンジンであって、上記ファンにおける２段目以降の動翼の上流に配置されると共に上記動翼への空気流の流入角を調整する可変ガイドベーンと、上記ノズルにおける流体抵抗を調整する流体抵抗調整手段と、巡航時において、加速時に対して上記流入角が小さくなるよう上記可変ガイドベーンを制御し、かつ、上記流入角の減少に伴うファン出口の体積流量増加による流体抵抗増加を抑制するよう上記流体抵抗調整手段を制御する制御手段とを備えるという構成を採用する。
【００１１】
第２の発明は、上記第１の発明において、上記流体抵抗調整手段が、上記ノズルの開口面積を調節する開口面積可変機構であるという構成を採用する。
【００１２】
第３の発明は、上記第１または第２の発明において、上記可変ガイドベーンの上流に配置された動翼よりも、当該可変ガイドベーン以降の上記動翼が、当該動翼の回転中心寄りに配置されているという構成を採用する。
【００１３】
第４の発明は、上記第１〜第３いずれかの発明において、上記制御手段が、巡航時において、上記ファンの回転数を最大とするという構成を採用する。
【発明の効果】
【００１４】
本発明によれば、巡航時において、２段目以降のファンの動翼の上流に配置された可変ガイドベーンが、下流側の動翼への流入角が加速時と比較して減少するように制御される。これによって、可変ガイドベーンの下流に配置された動翼の空気流に対する仕事量が減少してファンにおける圧縮率が低下し、ノズルから排気される空気の圧力が低下する。この結果、取り込む空気の流量を低下させることなく、ノズルからの排気の流速を低下させ、推力を抑えることが可能となる。また、ファン出口の空気の圧力が低下することによって、ノズル入口の圧力も低下し、排気の体積流量が増加するが、流体抵抗調整手段によってノズルによる流体抵抗の増加が抑制される。このような本発明によれば、ジェットエンジンにおいて、第２のバイパス流路を設けることなく、また多数の駆動機構を必要とすることなく、インテークスピレージ抵抗を減少させて燃費の改善を図ることが可能となる。
【図面の簡単な説明】
【００１５】
【図１】本発明の一実施形態であるジェットエンジンを模式的に示す断面図である。
【図２】本発明の一実施形態であるジェットエンジンが備えるファンの拡大図である。
【図３】本発明の一実施形態であるジェットエンジンが備えるファンが有する翼を模式的に示す図である。
【図４】スロットルレバー角度による本発明の一実施形態であるジェットエンジンの変化を示すグラフであり、（ａ）がスロットルレバー角度とファンの回転数との関係を示すグラフであり、（ｂ）がスロットルレバー角度とノズルの開口面積との関係を示すグラフであり、（ｃ）がスロットルレバー角度と可変ガイドベーンの姿勢との関係を示すグラフであり、（ｄ）がスロットルレバー角度と推力増強装置からの燃料供給量との関係を示すグラフである。
【発明を実施するための形態】
【００１６】
以下、図面を参照して、本発明に係るジェットエンジンの一実施形態について説明する。なお、以下の図面において、各部材を認識可能な大きさとするために、各部材の縮尺を適宜変更している。
【００１７】
図１は、本実施形態のジェットエンジン１を模式的に示す断面図である。この図に示すように、本実施形態のジェットエンジン１は、ケーシング２と、ファン３と、低圧圧縮機４と、高圧圧縮機５と、燃焼器６と、高圧タービン７と、低圧タービン８と、シャフト９と、推力増強装置１０と、可変排気ノズル１１（ノズル）と、制御部１２（制御手段）とを備えたターボファンエンジンである。
【００１８】
ケーシング２は、ファン３、低圧圧縮機４、高圧圧縮機５、燃焼器６、高圧タービン７、低圧タービン８、シャフト９及び推力増強装置１０を収容する円筒部材である。このケーシング２は、一端側（図１の左側）の開口がジェットエンジン１の内部に空気を取り込むためのインテーク２ａとされており、他端側（図１の右側）に可変排気ノズル１１が設けられている。
【００１９】
また、ケーシング２の内部には、ケーシング２の半径方向内側に設けられる流路であるコア流路２ｂと、半径方向外側に設けられる流路であるバイパス流路２ｃとが形成されている。コア流路２ｂ及びバイパス流路２ｃは、図１に示すように、ファン３の下流側においてケーシング２の内部が半径方向に区画されることにより設けられている。コア流路２ｂは、燃焼器６に空気を案内すると共に燃焼器６から排出される燃焼ガスを高圧タービン７及び低圧タービン８を介して推力増強装置１０に向けて案内する流路である。バイパス流路２ｃは、ファン３から圧送される空気を、低圧圧縮機４、高圧圧縮機５、燃焼器６、高圧タービン７及び低圧タービン８をバイパスして推力増強装置１０に向けて案内する流路である。
【００２０】
ファン３は、ケーシング２の内部における最も上流側に配置されている。図２は、図１におけるファン３の拡大図である。また、図３は、ファン３が備える翼の一部を図示した模式図である。これらの図に示すように、ファン３は、インレットガイドベーン機構３ａと、一段目動翼列３ｂと、一段目静翼列３ｃと、二段目動翼列３ｄと、二段目静翼列３ｅと、可変ガイドベーン機構３ｆと、三段目動翼列３ｇと、三段目静翼列３ｈとを備えている。
【００２１】
インレットガイドベーン機構３ａは、ケーシング２に対して固定されると共にケーシング２の周方向に複数配列されたインレットガイドベーン３ａ１と、これらのインレットガイドベーン３ａ１の角度を調整する不図示のアクチュエータとを備えている。このようなインレットガイドベーン機構３ａは、制御部１２の制御の下、インレットガイドベーン３ａ１の角度が調節され、ファン３に取り込まれた空気を整流する。
【００２２】
一段目動翼列３ｂは、シャフト９の後述する低圧軸９ａに固定されると共にシャフト９の周方向に複数配列された動翼３ｂ１から構成されており、インレットガイドベーン３ａ１の下流に配置されている。これらの動翼３ｂ１は、シャフト９の回転に伴って回転し、インレットガイドベーン３ａ１を通過した空気を下流側に圧送する。
【００２３】
一段目静翼列３ｃは、ケーシング２に対して固定されると共にケーシング２の周方向に複数配列された静翼３ｃ１から構成されており、一段目動翼列３ｂの下流に配置されている。これらの静翼３ｃ１は、一段目動翼列３ｂから吐き出された空気を整流する。
【００２４】
二段目動翼列３ｄは、シャフト９の低圧軸９ａに固定されると共にシャフト９の周方向に複数配列された動翼３ｄ１から構成されており、一段目静翼列３ｃの下流に配置されている。これらの動翼３ｄ１は、シャフト９の回転に伴って回転し、一段目静翼列３ｃを通過した空気を下流側に圧送する。
【００２５】
二段目静翼列３ｅは、ケーシング２に対して固定されると共にケーシング２の周方向に複数配列された静翼３ｅ１から構成されており、二段目動翼列３ｄの下流に配置されている。これらの静翼３ｅ１は、二段目動翼列３ｄから吐き出された空気を整流する。ここで、静翼３ｅ１は、空気がシャフト９と平行な流れ（軸流）となるように空気を整流する。
【００２６】
可変ガイドベーン機構３ｆは、ケーシング２に対して固定されると共にケーシング２の周方向に複数配列された可変ガイドベーン３ｆ１と、これらの可変ガイドベーン３ｆ１の角度を調整する不図示のアクチュエータとを備えている。このような可変ガイドベーン機構３ｆは、制御部１２の制御の下、可変ガイドベーン３ｆ１の角度が調整され、下流に配置される三段目動翼列３ｇの動翼３ｇ１への空気の流入角を変更する。
【００２７】
ここで、流入角とは、動翼３ｇ１の前縁と後縁とを結んだ線である翼弦に対する相対的な空気流の角度である。この流入角が大きい場合には、動翼３ｇ１が空気に対して行う仕事量が増加する。この結果、空気の圧力が大きく上昇する。一方、流入角が小さい場合には、動翼３ｇ１が空気に対して行う仕事量が減少する。この結果、空気の圧力の上昇が抑えられる若しくは圧力変化が生じない。すなわち、動翼３ｇ１に対する相対的な流入角が小さくなることによって、動翼３ｇ１が空回りすることになり、空気の圧力の上昇が抑えられる。なお、例えば、可変ガイドベーン３ｆ１によって流れがファン３の回転方向の旋回を強めるように動いた場合（図３の実線で示す姿勢である場合）に流入角は大きくなり、可変ガイドベーン３ｆ１によって流れがファン３の回転方向の旋回を弱めるように動いた場合（図３の二点鎖線で示す姿勢である場合）に流入角は小さくなる。
【００２８】
また、図２に示すように、可変ガイドベーン機構３ｆは、下流側に向けてケーシング２の半径方向内側に向けて湾曲した中間流路２ｄを挟んで、二段目静翼列３ｅの下流に配置される。本実施形態においては、可変ガイドベーン３ｆ１が当該可変ガイドベーン３ｆ１の上流に配置された動翼３ｇ１よりも当該動翼３ｇ１の回転中心寄りに配置されており、中間流路２ｄは、空気が流れる領域をケーシング２の半径方向外側から可変ガイドベーン３ｆ１が配置された半径方向内側に変更する。この中間流路２ｄは、流路断面積を変化することがないまま湾曲されている。このような中間流路２ｄを持つことで、回転中心寄りに配置された動翼の周速度が低下する。この結果、中間流路２ｄがない場合と比較して、可変ガイドベーン３ｆ１によって空気の流れ方向を変更したときの衝撃波の発生を抑制でき、圧力損失の上昇を抑えることができる。
【００２９】
三段目動翼列３ｇは、シャフト９の低圧軸９ａに固定されると共にシャフト９の周方向に複数配列された動翼３ｇ１から構成されており、可変ガイドベーン機構３ｆの下流に配置されている。これらの動翼３ｇ１は、シャフト９の回転に伴って回転し、空気の相対的な流入角が大きいときには可変ガイドベーン機構３ｆを通過した空気を下流側に圧送し、空気の相対的な流入角が小さいときには可変ガイドベーン機構３ｆを通過した空気を昇圧することなく下流側に通過させる。
【００３０】
三段目静翼列３ｈは、ケーシング２に対して固定されると共にケーシング２の周方向に複数配列された静翼３ｈ１から構成されており、三段目動翼列３ｇの下流に配置されている。これらの静翼３ｈ１は、三段目動翼列３ｇから吐き出された空気を整流する。
【００３１】
図１に戻り、低圧圧縮機４は、コア流路２ｂにおいて最も上流側に配置されている。この低圧圧縮機４は、シャフト９の低圧軸９ａに固定される動翼からなる動翼列と、ケーシング２に固定される静翼からなる静翼列が複数段に交互に配列されてなる。このような低圧圧縮機４は、シャフト９の回転に伴って動翼が回転され、コア流路２ｂに取り込まれた空気を静翼で整流しつつ動翼で圧縮する。
【００３２】
高圧圧縮機５は、コア流路２ｂにおいて低圧圧縮機４の下流に配置されている。この高圧圧縮機５は、シャフト９の後述する高圧軸９ｂに固定される動翼からなる動翼列と、ケーシング２に固定される静翼からなる静翼列が複数段に交互に配列されてなる。このような高圧圧縮機５は、シャフト９の回転に伴って動翼が回転され、低圧圧縮機４で圧縮された空気を静翼で整流しつつ動翼でさらに圧縮する。
【００３３】
燃焼器６は、コア流路２ｂにおいて高圧圧縮機５の下流に配置されている。この燃焼器６は、不図示の燃料ノズル及び着火装置を備えており、高圧圧縮機５で生成された圧縮空気と燃料とからなる混合気を燃焼することによって燃焼ガスを生成する。
【００３４】
高圧タービン７は、コア流路２ｂにおいて燃焼器６の下流に配置されている。この高圧タービン７は、シャフト９の高圧軸９ｂに固定される動翼からなる動翼列と、ケーシング２に固定される静翼からなる静翼列とが複数段に交互に配列されてなる。このような高圧タービン７は、燃焼器６で生成された燃焼ガスを静翼で整流しつつ動翼で受けることによって動翼が回転し、これによってシャフト９の高圧軸９ｂを回転させる。
【００３５】
低圧タービン８は、コア流路２ｂにおいて高圧タービン７の下流に配置されている。この低圧タービン８は、シャフト９の低圧軸９ａに固定される動翼からなる動翼列と、ケーシング２に固定される静翼からなる静翼列とが複数段に交互に配列されてなる。このような低圧タービン８は、高圧タービン７を通過した燃焼ガスを静翼で整流しつつ動翼で受けることによって動翼が回転し、これによってシャフト９の低圧軸９ａを回転させる。
【００３６】
シャフト９は、半径方向内側の低圧軸９ａと、半径方向外側の高圧軸９ｂとを備え、これらの低圧軸９ａと高圧軸９ｂとが個別に同軸回転可能な二重軸構造を有している。低圧軸９ａには、低圧タービン８の動翼と、低圧圧縮機４の動翼と、ファン３の動翼（動翼３ｂ１、動翼３ｄ１及び動翼３ｇ１）とが固定されている。このような低圧軸９ａは、低圧タービン８の動翼が燃焼ガスを受けて回転されることによって生成される回転動力を低圧圧縮機４の動翼と及びファン３の動翼に伝達し、これらの低圧圧縮機４の動翼と及びファン３の動翼を回転させる。高圧軸９ｂには、高圧タービン７の動翼と、高圧圧縮機５の動翼とが固定されている。このような高圧軸９ｂは、高圧タービン７の動翼が燃焼ガスを受けて回転されることによって生成される回転動力を高圧圧縮機５の動翼に伝達し、この高圧圧縮機５の動翼を回転させる。
【００３７】
推力増強装置１０は、低圧タービン８の下流に配置されている。この推力増強装置１０は、低圧タービン８を通過した燃焼ガス、及び、バイパス流路２ｃを通過した空気の混合気に含まれる酸素を用いて燃料を再燃焼させることにより推力を増強させるものであり、燃料噴射装置１０ａ、保炎器１０ｂ及び不図示の着火装置等を備えている。
【００３８】
可変排気ノズル１１は、ケーシング２の下流側の端部に設けられており、コア流路２ｂから排気される燃焼ガスと、バイパス流路２ｃから排気される空気流とをジェットエンジン１の後方に噴射する。この可変排気ノズル１１は、燃焼ガス及び空気流を噴射する開口端であるノズル１１ａと、このノズル１１ａの開口面積を変化させる可動部１１ｂ（流体抵抗調整手段、開口面積可変機構）とを備えている。この可動部１１ｂは、ノズル１１ａの周方向に配列されたフラップや当該フラップの角度を調整するアクチュエータ等を備えており、ノズル１１ａの開口面積を変化させることによってノズル１１ａにおける流体抵抗の調整を行う。
【００３９】
制御部１２は、本実施形態のジェットエンジン１の全体を統括制御するものである。例えば、制御部１２は、スロットルレバーからの指示（スロットレバー角度）に基づいて、ファン３の回転数、可変ガイドベーン３ｆ１の角度、ノズル１１ａの開口面積（スロート面積）、及び推力増強装置１０における燃料供給量等を制御する。この制御部１２は、本実施形態においては、巡航時において、加速時と同様にファン３の回転数を最大とし、加速時に対して流入角が小さくなるよう可変ガイドベーン３ｆ１の角度を制御し、かつ、流入角の減少に伴う体積流量増加による流体抵抗増加を抑制するよう可変排気ノズル１１を制御する。
【００４０】
このような本実施形態のジェットエンジン１では、ファン３の駆動によってケーシング２のインテーク２ａを通じて外部から空気が取り込まれ、取り込まれた空気がコア流路２ｂと、バイパス流路２ｃとに分配される。コア流路２ｂを流れる空気は、低圧圧縮機４及び高圧圧縮機５によって圧縮されてから燃焼器６に供給され、燃料と共に燃焼される。これによって燃焼ガスが生成され、この燃焼ガスがコア流路２ｂを流れて可変排気ノズル１１から噴出される。また、バイパス流路２ｃを流れる空気は、低圧圧縮機４、高圧圧縮機５、燃焼器６、高圧タービン７及び低圧タービン８をバイパスして流れ、可変排気ノズル１１から燃焼ガスと共に噴射される。このように可変排気ノズル１１から燃焼ガス及びバイパス流路２ｃを流れる空気が噴出されることによって推力が得られる。
【００４１】
なお、コア流路２ｂを流れる燃焼ガスが高圧タービン７を通過するときに、高圧タービン７の動翼が回転駆動されて回転動力が生成される。この回転動力がシャフト９の高圧軸９ｂを通じて高圧圧縮機５に伝達され、これによって高圧圧縮機５の動翼が回転する。また、コア流路２ｂを流れる燃焼ガスが低圧タービン８を通過するときに、低圧タービン８の動翼が回転駆動されて回転動力が生成される。
【００４２】
また、大きな推力が必要な場合には、制御部１２の制御の下、推力増強装置１０が、高圧タービン７及び低圧タービン８を通過した燃焼ガスに対して燃料を供給すると共に再燃焼させ、これによって推力の増強が図られる。このときは、燃焼ガスの再燃焼により排気の体積流量が増加するため、ノズル１１ａにおける流体抵抗が増加しないように、可動部１１ｂによってノズル１１ａの開口面積が広げられる。
【００４３】
ここで、本実施形態のジェットエンジン１においては、航空機の巡航時において、可変ガイドベーン３ｆ１が、下流側の三段目動翼列３ｇを形成する動翼３ｇ１への流入角が加速時と比較して減少するように制御される。これによって、可変ガイドベーン３ｆ１の下流に配置された動翼３ｇ１の空気流に対する仕事量が減少してファン３における圧縮率が低下する。これによって、ノズル１１ａに供給される空気の圧力が低下するため、インテーク２ａから取り込む空気の流量を低下させることなく、ノズル１１ａから排気される燃焼ガスの流速を低下させ、推力を抑えることが可能となる。
【００４４】
また、この場合には、ノズル１１ａに供給される空気の圧力が低下することによって、燃焼器６の後流の圧力が減少して排気の体積流量が増加するが、この排気の体積流量の増加によってノズル１１ａにおける流体抵抗が増加しないように、可動部１１ｂによってノズル１１ａの開口面積が広げられる。つまり、本実施形態のジェットエンジン１においては、推力増強装置１０を動作させない巡航時にも、可動部１１ｂによってノズル１１ａの開口面積が広げられる。これによって、ノズル１１ａによる流体抵抗の増加が抑制されるため、排気流をスムーズに排出することができ、圧力損失の増加を抑制することができる。
【００４５】
このような本実施形態のジェットエンジン１によれば、巡航時にファン３の吸気量を変化させることなく推力のみを加速時に対して低下させることができるため、第２のバイパス流路を設けることなく、また多数の駆動機構を必要とすることなく、インテークスピレージ抵抗を減少させて燃費の改善を図ることが可能となる。
【００４６】
図４は、スロットルレバー角度（すなわち推力）によるジェットエンジン１の変化を示すグラフであり、（ａ）がスロットルレバー角度とファン３の回転数との関係を示すグラフであり、（ｂ）がスロットルレバー角度とノズル１１ａの開口面積との関係を示すグラフであり、（ｃ）がスロットルレバー角度と可変ガイドベーン３ｆ１の姿勢との関係を示すグラフであり、（ｄ）がスロットルレバー角度と推力増強装置１０からの燃料供給量との関係を示すグラフである。なお、図４においては、従来型のエンジンにおける関係を示すグラフを破線で指名している。また、図４において「ＤＲＹ  ＭＡＸ」は、推力増強装置１０を用いない状態での最大推力を発揮するスロットルレバー角度を示し、「ＡＢ  ＭＡＸ」は、推力増強装置１０を用いた状態での最大推力を発揮するスロットルレバー角度を示している。
【００４７】
図４（ａ）及び図４（ｂ）に示すように、本実施形態のジェットエンジン１では、巡航状態において、従来のエンジンと異なり、ファン３の回転数が１００％となり、ノズル１１ａの開口面積が大きくなっている。一方で、本実施形態のジェットエンジン１では、図４（ｃ）に示すように、巡航状態において、可変ガイドベーン３ｆ１閉まった姿勢（流入角を小さくする姿勢）とされている。ここで、可変ガイドベーン３ｆ１が閉まるとは、ファン３の回転軸方向から見た可変ガイドベーン３ｆ１の面積が見かけ上広い状態を示している。このような本実施形態のジェットエンジン１によれば、巡航状態において、ファン３の回転数が１００％であることから、エンジンの吸込み流量が高く維持され、インテークスピレージ抵抗の増加を防ぎ、燃費が改善されることが分かる。
【００４８】
また、本実施形態のジェットエンジン１では、図４（ｂ）に示すように、推力増強装置１０を使用していない巡航状態において、ノズル１１ａの開口面積を変化させているが、図４（ｄ）に示すように、推力増強装置１０を使用時への影響がないことが分かる。
【００４９】
以上、添付図面を参照しながら本発明の好適な実施形態について説明したが、本発明は上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００５０】
例えば、上記実施形態においては、可変排気ノズル１１の可動部１１ｂによってノズル１１ａの開口面積を変化させることによってノズル１１ａにおける流体抵抗を調整する構成を採用した。しかしながら、本発明はこれに限定されるものではなく、例えば、排気流量が増加した場合に、増加分をノズル１１ａ以外の開口から推力となるように噴出することによって、ノズル１１ａにおける流体抵抗を調整する機構を設けても良い。ただし、推力増強装置１０を備える場合には、一般的にノズルの開口面積を調整する開口面積可変機構を備えることから、この開口面積可変機構を本発明の流体提供調整手段として用いることによって、ノズルの流体抵抗を調整するために新たな構成を追加する必要がなくなる。
【００５１】
また、上記実施形態においては、巡航時にファン３の回転数を最大とする構成について説明した。巡航時にファン３の回転数を最大とすることによって、エンジンの吸込み流量が高く維持され、インテークスピレージ抵抗を最小限に抑えることができるが、本発明はこれに限定されるものではなく、巡航時にファン３の回転数が最大でない構成を採用することも可能である。
【００５２】
また、上記実施形態においては、ファン３が３つの動翼列を備える構成について説明した。しかしながら、本発明はこれに限定されるものではなく、２つ以上の動翼列を備えるファンを有するジェットエンジンに適用することが可能である。また、複数の動翼列に対して、各々可変ガイドベーン機構を設置する構成を採用することも可能である。
【符号の説明】
【００５３】
１  ジェットエンジン
２  ケーシング
２ａ  インテーク
２ｂ  コア流路
２ｃ  バイパス流路
２ｄ  中間流路
３  ファン
３ａ  インレットガイドベーン機構
３ａ１  インレットガイドベーン
３ｂ  一段目動翼列
３ｂ１  動翼
３ｃ  一段目静翼列
３ｃ１  静翼
３ｄ  二段目動翼列
３ｄ１  動翼
３ｅ  二段目静翼列
３ｅ１  静翼
３ｆ  可変ガイドベーン機構
３ｆ１  可変ガイドベーン
３ｇ  三段目動翼列
３ｇ１  動翼
３ｈ  三段目静翼列
３ｈ１  静翼
４  低圧圧縮機
５  高圧圧縮機
６  燃焼器
７  高圧タービン
８  低圧タービン
９  シャフト
９ａ  低圧軸
９ｂ  高圧軸
１０  推力増強装置
１０ａ  燃料噴射装置
１０ｂ  保炎器
１１  可変排気ノズル
１１ａ  ノズル
１１ｂ  可動部（流体抵抗調整手段、開口面積可変機構）
１２  制御部（制御手段）
【図１】
2015200191.tif 000003
【図２】
2015200191.tif 000004
【図３】
2015200191.tif 000005
【図４】
2015200191.tif 000006